【手続補正書】
【提出日】平成17年9月22日(2005.9.22)
【手続補正１】
【補正対象書類名】特許請求の範囲
【補正対象項目名】全文
【補正方法】変更
【補正の内容】
【特許請求の範囲】
【請求項１】
各々が近位端（１０）及び遠位端（２０）を有する第１の導管（３０、９８）及び第２の導管（４０，１００）を備え、前記第１の導管の前記近位端を呼吸ガスの入口に作動的に連結することができ、前記第２の導管を呼吸ガスの出口に作動的に連結することができ、前記各導管の前記遠位端が患者に作動的に連結されるようになった複内腔一本構成呼吸回路であって、
前記第２の導管の軸方向の伸長及び収縮が、前記第１の導管の前記遠位端の対応する軸方向の伸長又は収縮を生じさせ、
前記第１の導管の前記遠位端と前記第２の導管の前記遠位端が、該遠位端において互いに作動的に接続され、前記第２の導管が軸方向に圧縮された第１の形状（図１、７Ａ）から軸方向に伸長された第２の形状（図２、７Ｂ）まで軸方向に伸張させられたとき、或いはその逆になったとき、前記第２の導管が前記第２の形状を保持し、前記第１の導管が前記第２の導管の軸方向の伸張又は収縮に対応する軸方向長さだけ伸張又は収縮し、
前記第２の導管は、アコーディオン状のひだ付きのチューブ（図１、７Ａ）、コイル状のチューブ（図５Ｄ）又はsuaveチューブ（図１３Ａ）から構成され、
前記第１及び第２の導管の空気流に対する抵抗は、自力呼吸又は補助呼吸のための要求に合致するように十分に低い、
ことを特徴とする呼吸回路。
【請求項２】
各々が近位端（１０）及び遠位端（２０）を有する第１の導管（３０、９８）及び第２の導管（４０，１００）を備え、前記第１の導管の前記近位端を呼吸ガスの入口に作動的に連結することができ、前記第２の導管を呼吸ガスの出口に作動的に連結することができ、前記各導管の前記遠位端が患者に作動的に連結されるようになった複内腔一本構成呼吸回路であって、
前記第２の導管の軸方向の伸長及び収縮が、前記第１の導管の前記遠位端の対応する軸方向の伸長又は収縮を同期的に生じさせ、
前記第１の導管の前記遠位端と前記第２の導管の前記遠位端が、該遠位端において互いに作動的に接続され、前記第１及び第２の導管は、軸方向に伸張（図２、７Ｂ）及び／又は収縮（図１、７Ａ）し、
前記第２の導管は、アコーディオン状のひだ付きのチューブ（図１、７Ａ）、コイル状のチューブ（図５Ｄ）又はsuaveチューブ（図１３Ａ）から構成され、
前記第１及び第２の導管の空気流に対する抵抗は、自力呼吸又は補助呼吸の要求に合致するように十分に低い、
ことを特徴とする呼吸回路。
【請求項３】
呼気導管が自力呼吸又は補助呼吸中に常時、負圧のもとで気体の流れを通し、吸気導管が自力呼吸又は補助呼吸中に正圧の気体の流れを通すことができる、請求項１又は請求項２に記載の回路。
【請求項４】
前記第１及び第２の導管が、その遠位端において、共通の遠位取付具を有する、請求項１から請求項３までのいずれか１項に記載の回路。
【請求項５】
前記遠位取付具が、前記第１の導管の前記遠位端を、前記第２の導管の前記遠位端に対して間隔をもって又は直接に剛性的に取り付ける連結部を含む、請求項４に記載の回路。
【請求項６】
前記第１及び第２の導管が、その近位端に共通の近位連結具又は取付具を有する請求項１から請求項５までのいずれか１項に記載の回路。
【請求項７】
前記第１の導管がアコーディオン状のひだ付きチューブ（９８）からなり、前記第２の導管がアコーディオン状のひだ付きチューブ（１００）からなる、請求項１から請求項６までのいずれか１項に記載の回路。
【請求項８】
前記第１の導管がコイル状のチューブ（３０）からなり、前記第２の導管がアコーディオン状のひだ付きチューブ（４０）からなる、請求項１から請求項６までのいずれか１項に記載の回路。
【請求項９】
前記第１の導管がコイル状のチューブ（６００）からなり、前記第２の導管がコイル状のチューブ（６２０）からなる、請求項１から請求項６までのいずれか１項に記載の回路。
【請求項１０】
前記第１の導管がアコーディオン状のひだ付きチューブからなり、前記第２の導管がsuaveチューブからなる、請求項１から請求項６までのいずれか１項に記載の回路。
【請求項１１】
前記第１の導管がsuaveチューブ（１０６）からなり、前記第２の導管がアコーディオン状のひだ付きチューブ（１０８）からなる、請求項１から請求項６までのいずれか１項に記載の回路。
【請求項１２】
前記第２の導管がアコーディオン状のひだ付きチューブからなり、前記第１の導管がsuave又はアコーディオン状の共通仕切り壁からなる、請求項１又は請求項２に記載の回路。
【請求項１３】
さらにフィルタを備える請求項１から請求項１２までのいずれか１項に記載の回路。
【請求項１４】
前記フィルタは、回路の近位端に配置された請求項１３に記載の回路。
【請求項１５】
前記導管の少なくとも一方の容積が前記軸方向伸張又は収縮により調節される請求項７又は請求項１０から請求項１４までのいずれか１項に記載の回路。
【請求項１６】
循環形式回路又はメイプルソン型である請求項７又は請求項１０から請求項１４までのいずれか１項に記載の回路。
【請求項１７】
前記第２の導管がアコーディオン状のひだ付きチューブからなり、前記第２の導管の容積がその伸張又は収縮により調節される請求項８に記載の回路。
【請求項１８】
前記麻酔システムが再循環モジュール及び新鮮ガスのための遠位側入口を備え、使用後ガスが該再循環モジュールに与えられ、ガスが該再循環モジュールから受け取られるようになっており、回路は、近位端の開口において呼吸システム又は麻酔システムの再循環モジュールに接続することができ、前記遠位側入口は、前記回路の遠位側部分又は前記回路の前記遠位端に作動的に結合された遠位取付具内に配置され、回路は前記遠位側取付具より近位側における容積が調節可能であり、該システムに接続された患者又は哺乳類により呼吸される吸気ガスの濃度が前記遠位側取付具より近位側の容積を調節することにより調節できる、請求項１５又は請求項１７に記載の回路。
【請求項１９】
回路は、人又は他の哺乳類に麻酔ガスを低流量で与えるための麻酔システムに使用するものであり、該システムは、患者に所望のガスの新鮮ガス流と洗浄された再循環ガスのガス流とを与えることができ、該新鮮ガス流と洗浄されたガス流は、該呼吸回路を介して人又は他の哺乳類に与えることができ、前記呼吸回路は、遠位端及び近位端と、第一および第２の導管とを有し、前記第２の導管は、近位端が、受け取った使用後ガスの少なくとも一部を洗浄し再循環させるための洗浄モジュールに作動的に接続され、前記第１の導管は、出口が前記回路の前記遠位端に作動的に接続され、前記第１の導管は、前記回路の前記遠位端を介して人又は他の哺乳類に新鮮ガスを与えることができる請求項１５又は請求項１７に記載の回路。
【請求項２０】
前記第２の導管は、前記第１の導管が前記麻酔システムに接続される接続部の近位側で容積の調節が可能であり、投与される呼吸ガスの濃度が前記第２の導管の容積の調節により調節できる請求項１８に記載の回路。
【請求項２１】
新鮮ガスが毎分約０．５リットルないし毎分約５リットルの体積で供給される、請求項１８に記載の回路。
【請求項２２】
新鮮ガスが毎分約１リットルないし毎分約３リットルの体積で供給される、請求項１８に記載の回路。
【請求項２３】
回路の容積を調節することにより、Ｆ1／ＦD濃度比が約０．８０より多い状態に維持される請求項１８に記載の回路。